(57)【要約】【課題】特許文献１のケーブル誤接続検出の手段では、ケーブル誤接続検出のための信号が、他の信号に影響を与えることなく送信する必要がある。また、特許文献２の手段では、正しい接続先及び誤接続を表す情報の通知をＬＡＮ等の別系統のケーブルを通じて接続されている場合に適用されるので、別系統のケーブルが必要になる。【解決手段】差動信号を伝達するケーブルに接続される接続手段と、ＤＣバイアスを付加することにより識別信号を送信し、受信した信号に付加されたＤＣバイアスによる識別信号を検出するＤＣバイアス制御手段と、を備える。【選択図】      図１
2015065598.tif 000002
【特許請求の範囲】
【請求項１】
差動信号を伝達するケーブルに接続される接続手段と、ＤＣバイアスを付加することにより識別信号を送信し、受信した信号に付加されたＤＣバイアスによる識別信号を検出するＤＣバイアス制御手段と、を備えることを特徴とするケーブル接続送受信機。
【請求項２】
通知手段と、前記接続手段の接続先の情報を記憶した記憶手段と、前記接続先の情報と前記受信した信号に付加されたＤＣバイアスによる識別信号に基づいて、接続の正誤情報を前記通知手段に出力する制御手段と、を備えることを特徴とする請求項１記載のケーブル接続送受信機。
【請求項３】
前記接続手段は、差動信号とＤＣバイアスを同時に送受信することを特徴とする請求項１または２のいずれかに記載のケーブル接続送受信機。
【請求項４】
前記制御手段は、前記接続手段の接続先の正誤を判定し、正しい場合は前記通知手段に正常である通知をさせて、誤っている場合は正しい接続手段の前記通知手段に接続するよう導く通知をさせることを特徴とする請求項１または３のいずれかに記載のケーブル接続送受信機。
【請求項５】
差動信号を前記接続手段へ伝達するＰＣＩ（Ｐｅｒｉｐｈｅｒａｌ  Ｃｏｍｐｏｎｅｎｔｓ  Ｉｎｔｅｒｃｏｎｎｅｃｔ）ｅｘｐｒｅｓｓスイッチを備え、前記接続手段は、ＰＣＩｅｘｐｒｅｓｓのコネクタであり、前記ＰＣＩｅｘｐｒｅｓｓのコネクタは２以上のレーンを備え、前記ＤＣバイアス制御手段は、前記コネクタのレーン毎に前記ＤＣバイアスを付加することにより識別信号を送信し、前記コネクタのレーン毎から受信した信号に付加されたＤＣバイアスによる識別信号を検出することを特徴とする請求項２または４のいずれかに記載のケーブル接続送受信機。
【請求項６】
差動信号を伝達するケーブルに接続される接続手段と、ＤＣバイアスを付加することにより識別信号を送信するＤＣバイアス制御手段と、を備えることを特徴とするケーブル接続送信機。
【請求項７】
差動信号を伝達するケーブルに接続される接続手段と、受信した信号に付加されたＤＣバイアスによる識別信号を検出するＤＣバイアス制御手段と、を備えることを特徴とするケーブル接続受信機。
【請求項８】
差動信号を伝達するケーブルに接続される接続手段に、ＤＣバイアスを付加することにより識別信号を送信する手順と、受信した信号に付加されたＤＣバイアスによる識別信号を検出する手順と、を含んでいることを特徴とするケーブル接続支援方法。
【請求項９】
記憶手段に記憶された前記接続手段の接続先の情報とＤＣバイアスによる識別信号に基づいて、接続の正誤を判断する手順と、正しい場合は前記通知手段に正常である通知をさせる手順と、誤っている場合は前記通知手段に正しい接続先へ接続するよう導く通知をさせる手順と、を含んでいることを特徴とする請求項８に記載のケーブル接続支援方法。
【請求項１０】
接続手段の接続先の正誤を判定し、正しい場合は通知手段に正常である通知をして、誤っている場合は正しい接続手段の通知手段に接続するよう導く通知をすることを、制御手段に実行させるケーブル接続支援プログラム。
【発明の詳細な説明】
【技術分野】
【０００１】
本発明は、ケーブル接続送受信機、送信機、受信機、ケーブル接続支援方法およびケーブル接続支援プログラムに関する。
【背景技術】
【０００２】
複数のポートを有する２台以上の装置をケーブルで接続して、信号を正しく送受信するために、ケーブルの両端のポートは正しく接続されることが求められている。
【０００３】
装置には複数のポートがあり、作業者はケーブルの両端を誤って接続する可能性がある。作業者が誤って２台の装置を起動させていた場合、装置は信号を正しく送受信できず、誤ったケーブルの接続は、装置の故障を引き起こす可能性がある。
【０００４】
誤ったケーブルの接続を検出する手段としては、特許文献１(特開平０５−１３４７９０号公報）、特許文献２（特開２０１２−０７４８７９号公報）に開示されている。
【０００５】
特許文献１は、送信側装置の各ポートに送信ＩＤを、受信側装置の各ポートに受信ＩＤをそれぞれ設定する。ケーブルを介して送信側装置のポートから送信ＩＤが送信されると、受信側装置は送信ＩＤと、その送信ＩＤを受信したポートに設定された受信ＩＤとを比較する。比較結果が不一致の場合、受信側装置は、接続状態表示部にケーブルが誤って接続されていることを表示する。
【０００６】
特許文献２は、ケーブルが誤って接続されているとき、ケーブルを介して渡されたＩＤ情報を基に、正しい接続先をユーザに通知する。特許文献２は、ケーブルの誤った接続を検出するだけでなく、ユーザに正しい接続先を通知してケーブルの接続を支援する技術を開示している。特許文献２のケーブルを接続する両端の装置は、予めＬＡＮ等の別系統のケーブルを通じて接続されている場合に適用される。また、ＬＡＮ等によって識別情報の通知を行っていて、装置が起動した状態の場合に誤接続検出ができる。
【先行技術文献】
【特許文献】
【０００７】
【特許文献１】特開平０５−１３４７９０号公報
【特許文献２】特開２０１２−０７４８７９号公報
【発明の概要】
【発明が解決しようとする課題】
【０００８】
特許文献１のケーブル誤接続検出の手段では、ケーブル誤接続検出のための信号を、他の信号に影響を与えることなく送信する必要がある。また、特許文献２の手段では、正しい接続先及び誤接続を表す情報の通知をＬＡＮ等の別系統のケーブルを通じて接続されている場合に適用されるので、別系統のケーブルが必要になる。
【０００９】
本発明の目的は、他の信号に影響を与えることなく、別系統のケーブルを設けることなく、ケーブル誤接続検出のための信号を送信できるケーブル接続送受信機、送信機、受信機、ケーブル接続支援方法およびケーブル接続支援プログラムを提供することにある。
【課題を解決するための手段】
【００１０】
本発明は、差動信号を伝達するケーブルに接続される接続手段と、ＤＣバイアスを付加することにより識別信号を送信し、受信した信号に付加されたＤＣバイアスによる識別信号を検出するＤＣバイアス制御手段と、を備えることを特徴とする。
【００１１】
本発明は、差動信号を伝達するケーブルに接続される接続手段と、ＤＣバイアスを付加することにより識別信号を送信するＤＣバイアス制御手段と、を備えることを特徴とする。
【００１２】
本発明は、差動信号を伝達するケーブルに接続される接続手段と、受信した信号に付加されたＤＣバイアスによる識別信号を検出するＤＣバイアス制御手段と、を備えることを特徴とする。
【００１３】
本発明は、差動信号を伝達するケーブルに接続される接続手段に、ＤＣバイアスを付加することにより識別信号を送信する手順と、受信した信号に付加されたＤＣバイアスによる識別信号を検出する手順と、を含んでいることを特徴とする。
【００１４】
本発明は、接続手段の接続先の正誤を判定し、正しい場合は通知手段に正常である通知をして、誤っている場合は正しい接続手段の通知手段に接続するよう導く通知をすることを特徴とする。
【発明の効果】
【００１５】
本発明は、他の信号に影響を与えることなく、別系統のケーブルを予め設けることなく、ケーブル誤接続検出のための信号を送信できる。
【図面の簡単な説明】
【００１６】
【図１】本発明の第１の実施形態におけるケーブル接続送受信機の一例を示すブロック図である。
【図２】本発明の第２の実施形態におけるケーブル接続送受信機の接続例を示すブロック図である。
【図３】本発明の第２の実施形態における接続手段の識別ＩＤの送受信時の動作例を示すブロック図である。
【図４】本発明の第２の実施形態における各接続手段の識別ＩＤの設定例を示すブロック図である。
【図５】第２の実施形態の記憶手段に保管される各接続手段の接続先の設定例である。
【図６】本発明のケーブル接続支援方法の手順の一例を示すフローチャートである。
【図７】本発明の第３の実施形態におけるケーブル接続送受信機の接続例を示すブロック図である。
【図８】本発明の第３の実施形態における接続手段の識別ＩＤの送受信時の動作例を示すブロック図である。
【図９】本発明の第３の実施形態における各接続手段の識別ＩＤの設定例を示すブロック図である。
【図１０】本発明の第３の実施形態の記憶手段に保管される各接続手段の接続先の設定例である。
【発明を実施するための形態】
【００１７】
以下、本発明の実施形態について図面を参照して詳細に説明する。
（第１の実施形態）
図１は、本発明の第１の実施形態におけるケーブル接続送受信機の一例を示すブロック図である。
【００１８】
図１のケーブル接続送受信機１００は、接続手段１０１と、ＤＣバイアス制御手段１０２と、を備えている。
【００１９】
接続手段１０１は、差動信号を伝達するケーブルに接続され、ＤＣバイアス制御手段１０２は、ＤＣバイアスを付加することにより識別信号を送信し、受信した信号に付加されたＤＣバイアスによる識別信号を検出する。
【００２０】
以上説明したように、本発明は、他の信号に影響を与えることなく、別系統のケーブルを予め設けることなく、ケーブル誤接続検出のための信号を送信できる。
（第２の実施形態）
図２は、本発明の第２の実施形態におけるケーブル接続送受信機の接続例を示すブロック図である。
【００２１】
図２の第１ケーブル接続送受信機２１１と第２ケーブル接続送受信機２３１は、ケーブル２００にて、誤って接続された場合を示している。第１ケーブル接続送受信機２１１と第１ケーブル接続送受信機２３１は、同様の構成である。
【００２２】
ケーブル２００は、ＰＣＩ（Ｐｅｒｉｐｈｅｒａｌ  Ｃｏｍｐｏｎｅｎｔｓ  Ｉｎｔｅｒｃｏｎｎｅｃｔ）ｅｘｐｒｅｓｓの差動信号を送受信するケーブルである。
【００２３】
第１ケーブル接続送受信機２１１は、コネクタの第１接続手段２１２、第２接続手段２１４、第３接続手段２１６と、接続手段に付属している第１表示手段２１３、第２表示手段２１５、第３表示手段２１７と、ＤＣバイアスの付加と検出をする第１ＤＣバイアス制御手段２１８、第２ＤＣバイアス制御手段２１９、第３ＤＣバイアス制御手段２２０と、差動信号を各接続手段へ送受信するＰＣＩｅスイッチ２２１と、各接続手段の接続先を既定した記憶手段２２２と、各ＤＣバイアス制御手段を制御する制御手段２２３とを備える。
【００２４】
同様に、第２ケーブル接続送受信機２３１は、コネクタの第１接続手段２３２、第２接続手段２３４、第３接続手段２３６と、接続手段に付属している第１表示手段２３３、第２表示手段２３５、第３表示手段２３７と、ＤＣバイアスの付加と検出をする第１ＤＣバイアス制御手段２３８、第２ＤＣバイアス制御手段２３９、第３ＤＣバイアス制御手段２４０と、差動信号を各接続手段へ送受信するＰＣＩｅスイッチ２４１と、各接続手段の接続先を既定した記憶手段２４２と、各ＤＣバイアス制御手段を制御する制御手段２４３とを備える。
【００２５】
ケーブル２００は、第１ケーブル接続送受信機２１１の第２接続手段２１４と、第２ケーブル接続送受信機２３１の第１接続手段２３２に誤って接続された場合を示している。
【００２６】
第１接続手段２１２、第１接続手段２３２は、識別ＩＤが与えられている。
【００２７】
第２接続手段２１４、第２接続手段２３４は、識別ＩＤが与えられている。
【００２８】
第３接続手段２１６、第３接続手段２３６は、識別ＩＤが与えられている。
【００２９】
第１表示手段２１３、第１表示手段２３３は、各接続手段の接続状態を表示する。
【００３０】
第２表示手段２１５、第２表示手段２３５は、各接続手段の接続状態を表示する。
【００３１】
第３表示手段２１７、第３表示手段２３７は、各接続手段の接続状態を表示する。
【００３２】
第１ＤＣバイアス制御手段２１８、第１ＤＣバイアス制御手段２３８は、各接続手段の識別ＩＤを送受信するために、送信時に信号にＤＣバイアスを付加し、受信時に信号からＤＣバイアスを検出する。
【００３３】
第２ＤＣバイアス制御手段２１９、第２ＤＣバイアス制御手段２３９は、各接続手段の識別ＩＤを送受信するために、送信時に信号にＤＣバイアスを付加し、受信時に信号からＤＣバイアスを検出する。
【００３４】
第３ＤＣバイアス制御手段２２０、第３ＤＣバイアス制御手段２４０は、各接続手段の識別ＩＤを送受信するために、送信時に信号にＤＣバイアスを付加し、受信時に信号からＤＣバイアスを検出する。
【００３５】
制御手段２２３、制御手段２４３は、送信時に各接続手段の識別ＩＤを付加するよう命令し、受信時に各接続手段から受信側の識別ＩＤを受信し、各記憶手段を参照し、各表示手段に正しい接続先を表示させる。
【００３６】
記憶手段２２２、記憶手段２４２は、各接続手段の接続先を既定している。
【００３７】
ＰＣＩｅスイッチ２２１、ＰＣＩｅスイッチ２４１は、差動信号を各接続手段へ送受信する。
【００３８】
次に、各接続手段に与えられた識別ＩＤの送受信について、詳細な動作を説明する。
【００３９】
図３は、本発明の第２の実施形態における接続手段の識別ＩＤの送受信時の動作例を示すブロック図である。
【００４０】
ケーブル２００は、第１ケーブル接続送受信機２１１の第２接続手段２１４と、第２ケーブル接続送受信機２３１の第１接続手段２３２に誤って接続された場合を示している。
【００４１】
図２に示すように、ケーブル２００は、第１レーン３０１、第２レーン３０２、第３レーン３０３、第４レーン３０４の４レーンを備えている。
【００４２】
第１レーン３０１は、ケーブル２００の第１のレーンである。
【００４３】
第２レーン３０２は、ケーブル２００の第２のレーンである。
【００４４】
第３レーン３０３は、ケーブル２００の第３のレーンである。
【００４５】
第４レーン３０４は、ケーブル２００の第４のレーンである。
【００４６】
ＰＣＩｅｘｐｒｅｓｓの技術は、差動信号を使用して、装置間の通信を行うことができる。双方向通信を行うことができて、送受信の１組のペアを単位としたレーンで構成される。更に、データ帯域幅を上げるために、複数のレーンに拡張可能である。複数のレーンの数の種類は、ｘ１（１レーン）、ｘ２（２レーン）、ｘ４（４レーン）、ｘ８（８レーン）、ｘ１２（１２レーン）、ｘ１６（１６レーン）、ｘ３２（３２レーン）等がある。本実施例は、ｘ４（４レーン）の場合である。
【００４７】
送信側の第１ケーブル接続送受信機２１１の第２接続手段２１４には、「０００１」の識別ＩＤが与えられている。
【００４８】
受信側の第２ケーブル接続送受信機２３１の第１接続手段２３２には、「００００」の識別ＩＤが与えられている。
【００４９】
各接続手段にケーブルが接続されると、第１ケーブル接続送受信機２１１の制御手段２２３は、第２接続手段２１４の識別ＩＤ「０００１」を伝達するため、第２ＤＣバイアス制御手段２１９を用いて、第１レーン３０１に「０」（識別ＩＤの左から一番目）を示すＤＣバイアスの０Ｖ（ボルト）を付加して送信する。
【００５０】
同様に、制御手段２２３は、第２レーン３０２に「０」を示すＤＣバイアスの０Ｖ、第３レーン３０３に「０」を示すＤＣバイアスの０Ｖ、第４レーン３０４に「１」を示すＤＣバイアスの１．８Ｖを付加して送信する。
【００５１】
本実施例は、「０」を示すＤＣバイアスを０Ｖ、「１」を示すＤＣバイアスを１．８Ｖとしたが、識別ＩＤを示すＤＣバイアスは０Ｖ、１．８Ｖに限らない。
【００５２】
差動信号を送受信する技術は、１つの信号当たり２本の信号線を使用する（１レーンの場合）。２本の信号線は、＋側（ポジティブ）、−側（ネガティブ）として結線する。
【００５３】
差動信号は、この２本の信号線の電位差が信号レベルになり、差がプラスであれば「Ｈｉｇｈ」、マイナスであれば「Ｌｏｗ」のように認識できる。
【００５４】
本発明は、差動信号を送受信するケーブルに、ＤＣバイアスを０Ｖ、１．８Ｖを付加する。差動信号は、２つの信号の電圧差により信号を送受信するため、差動信号とＤＣバイアスによる識別ＩＤを区別して送ることが可能である。
【００５５】
ＤＣバイアスは、０Ｖ、１．８Ｖのような電圧を付加していて、比較的簡単な回路を追加することで、識別ＩＤを送ることができる。ＤＣバイアスの技術は、差動信号と異なった技術であり、２台の装置をケーブル接続して伝達しようとしている本来の信号（差動信号）の送受信に影響を及ぼさない。既に存在する差動信号を利用しているインターフェース（ＰＣＩｅｘｐｒｅｓｓ）に、ＤＣバイアスを重畳する機能（回路）を追加することにより、識別ＩＤの送受信が実現できる。
【００５６】
第２ケーブル接続送受信機２３１の第１接続手段２３２は、４レーンのＤＣバイアスを受信する。
【００５７】
第２ケーブル接続送受信機２３１の制御手段２４３は、第１ＤＣバイアス制御手段２３８を用いて、送信側の接続手段の識別ＩＤ「０００１」を認識する。
【００５８】
制御手段２４３は、送信側の接続手段の識別ＩＤ「０００１」と受信側の接続手段の識別ＩＤ「００００」とを比較し、記憶手段２４２を参照することでケーブルの両端の接続が誤った接続であることを認識する。
【００５９】
制御手段２４３は、第１接続手段２３２に付属する第１表示手段２３３を点灯または、点滅させて、第１接続手段２３２が誤った接続先であることをユーザに伝える。記憶手段２４２を参照して、送信側の第２接続手段２１４の正しい接続先を認識し、受信側の第２接続手段２３４に付属する第２表示手段２３５を第１表示手段２３３と異なる点灯または、点滅させて、正しい接続先をユーザに伝える。
【００６０】
次に、各接続手段に与えられた識別ＩＤの設定例を説明する。
【００６１】
図４は、本発明の第２の実施形態における各接続手段の識別ＩＤの設定例を示すブロック図である。
【００６２】
図４に示すように、第１ケーブル接続送受信機２１１の第１接続手段２１２、第２接続手段２１４、第３接続手段２１６には、それぞれ「００００」、「０００１」、「０００２」の識別ＩＤが与えられている。
【００６３】
第２ケーブル接続送受信機２３１の第１接続手段２３２、第２接続手段２３４、第３接続手段２３６には、それぞれ「００００」、「０００１」、「０００２」の識別ＩＤが与えられている。
【００６４】
本実施例は、第１ケーブル接続送受信機２１１の各接続手段と第２ケーブル接続送受信機２３１の各接続手段に同じ識別ＩＤを設定している場合があるが、各接続手段に固有の識別ＩＤを設定しても良い。
【００６５】
次に、各接続手段の接続先の設定例を説明する。
【００６６】
図５は、本発明の第２の実施形態の記憶手段に保管される各接続手段の接続先の設定例である。
【００６７】
図５に示すように、第１ケーブル接続送受信機の第２接続手段（識別ＩＤ：０００１）の接続先は、第２ケーブル接続送受信機の第２接続手段（識別ＩＤ：０００１）に設定されている。
【００６８】
制御手段は、記憶手段を参照することで、ケーブル接続が設定された接続か否かを認識できる。
【００６９】
次に、フローチャートを使って、ケーブル接続支援方法の手順の一例を説明する。
【００７０】
図６は、本発明のケーブル接続支援方法の手順の一例を示すフローチャートである。
【００７１】
ユーザが装置に電力を供給して、制御手段は動作を開始する。
【００７２】
図６に示すように、ユーザは、ケーブルを両装置に接続する（ステップＳ６０１）。
【００７３】
送信側の装置が識別ＩＤをＤＣバイアスで送信する（ステップＳ６０２）。
【００７４】
受信側の装置がＤＣバイアスを受信し、識別ＩＤを認識する（ステップＳ６０３）。
【００７５】
制御手段は、送信側と受信側の接続手段の２つの識別ＩＤが記憶手段の情報と一致するか比較する（ステップＳ６０４）。
【００７６】
２つの識別ＩＤが記憶手段の情報と一致するとき（Ｙｅｓの矢印）、制御手段は、接続正常を示す点灯パターンを表示手段に指示する（ステップＳ６０５）。そして、終了する。
【００７７】
２つの識別ＩＤが記憶手段の情報と一致しないとき（Ｎｏの矢印）、制御手段は、接続異常を示す点灯パターンを表示手段に指示する（ステップＳ６０６）。
【００７８】
次に、制御手段は、正しい接続先の表示手段に点灯を指示する（ステップＳ６０７）。そして、終了する。
【００７９】
以上説明したように、本発明のケーブル接続送受信機、送信機、受信機、ケーブル接続支援方法およびケーブル接続支援プログラムは、差動信号とＤＣバイアスを利用し、接続されるケーブル自身により、差動信号の送受信とＤＣバイアスの識別ＩＤを通知することができるので、別系統のケーブルを予め設けることなく、ケーブル誤接続を検出することができ、正しい接続先を知ることができる。
（第３の実施形態）
図７は、本発明の第３の実施形態におけるケーブル接続送受信機の接続例を示すブロック図である。
【００８０】
図７の第３ケーブル接続送受信機７１１と第４ケーブル接続送受信機７３１は、ケーブル７００にて、正しく接続された場合を示している。第３ケーブル接続送受信機７１１と第４ケーブル接続送受信機７３１は、同様の構成である。
【００８１】
同様に、第３ケーブル接続送受信機７１１と第５ケーブル接続送受信機７５１は、ケーブル７０１にて、正しく接続された場合を示している。第３ケーブル接続送受信機７１１と第５ケーブル接続送受信機７５１は、同様の構成である。
【００８２】
同様に、第３ケーブル接続送受信機７１１と第６ケーブル接続送受信機７７１は、ケーブル７０２にて、正しく接続された場合を示している。第３ケーブル接続送受信機７１１と第６ケーブル接続送受信機７７１は、同様の構成である。
【００８３】
ケーブル７００、７０１、７０２は、ＰＣＩ（Ｐｅｒｉｐｈｅｒａｌ  Ｃｏｍｐｏｎｅｎｔｓ  Ｉｎｔｅｒｃｏｎｎｅｃｔ）ｅｘｐｒｅｓｓの差動信号を送受信するケーブルである。
【００８４】
第３の実施形態において、第３ケーブル接続送受信機７１１と第４ケーブル接続送受信機７３１、と第５ケーブル接続送受信機７５１および第６ケーブル接続送受信機７７１を、ケーブル７００、７０１、７０２にて、正しく接続した構成にしたこと以外は第２の実施形態と同様の構成を有する。
【００８５】
第３ケーブル接続送受信機７１１は、コネクタの第１接続手段７１２、第２接続手段７１４、第３接続手段７１６と、接続手段に付属している第１表示手段７１３、第２表示手段７１５、第３表示手段７１７と、ＤＣバイアスの付加と検出をする第１ＤＣバイアス制御手段７１８、第２ＤＣバイアス制御手段７１９、第３ＤＣバイアス制御手段７２０と、差動信号を各接続手段へ送受信するＰＣＩｅスイッチ７２１と、各接続手段の接続先を既定した記憶手段７２２と、各ＤＣバイアス制御手段を制御する制御手段７２３とを備える。
【００８６】
同様に、第４ケーブル接続送受信機７３１は、コネクタの第１接続手段７３２、第２接続手段７３４、第３接続手段７３６と、接続手段に付属している第１表示手段７３３、第２表示手段７３５、第３表示手段７３７と、ＤＣバイアスの付加と検出をする第１ＤＣバイアス制御手段７３８、第２ＤＣバイアス制御手段７３９、第３ＤＣバイアス制御手段７４０と、差動信号を各接続手段へ送受信するＰＣＩｅスイッチ７４１と、各接続手段の接続先を既定した記憶手段７４２と、各ＤＣバイアス制御手段を制御する制御手段７４３とを備える。
【００８７】
同様に、第５ケーブル接続送受信機７５１は、コネクタの第１接続手段７５２、第２接続手段７５４、第３接続手段７５６と、接続手段に付属している第１表示手段７５３、第２表示手段７５５、第３表示手段７５７と、ＤＣバイアスの付加と検出をする第１ＤＣバイアス制御手段７５８、第２ＤＣバイアス制御手段７５９、第３ＤＣバイアス制御手段７６０と、差動信号を各接続手段へ送受信するＰＣＩｅスイッチ７６１と、各接続手段の接続先を既定した記憶手段７６２と、各ＤＣバイアス制御手段を制御する制御手段７６３とを備える。
【００８８】
同様に、第６ケーブル接続送受信機７７１は、コネクタの第１接続手段７７２、第２接続手段７７４、第３接続手段７７６と、接続手段に付属している第１表示手段７７３、第２表示手段７７５、第３表示手段７７７と、ＤＣバイアスの付加と検出をする第１ＤＣバイアス制御手段７７８、第２ＤＣバイアス制御手段７７９、第３ＤＣバイアス制御手段７８０と、差動信号を各接続手段へ送受信するＰＣＩｅスイッチ７８１と、各接続手段の接続先を既定した記憶手段７８２と、各ＤＣバイアス制御手段を制御する制御手段７８３とを備える。
【００８９】
ケーブル６００は、第３ケーブル接続送受信機７１１の第１接続手段７１２と、第４ケーブル接続送受信機７３１の第１接続手段７３２に正しく接続された場合を示している。
【００９０】
同様に、ケーブル７０１は、第３ケーブル接続送受信機７１１の第２接続手段７１４と、第５ケーブル接続送受信機７５１の第２接続手段７５４に正しく接続された場合を示している。
【００９１】
同様に、ケーブル７０２は、第３ケーブル接続送受信機７１１の第３接続手段７１６と、第６ケーブル接続送受信機７７１の第３接続手段７７６に正しく接続された場合を示している。
【００９２】
第１接続手段７１２、第１接続手段７３２、第１接続手段７５２、第１接続手段７７２は、識別ＩＤが与えられている。
【００９３】
第２接続手段７１４、第２接続手段７３４、第２接続手段７５４、第２接続手段７７４は、識別ＩＤが与えられている。
【００９４】
第３接続手段７１６、第３接続手段７３６、第３接続手段７５６、第３接続手段７７６は、識別ＩＤが与えられている。
【００９５】
第１表示手段７１３、第１表示手段７３３、第１表示手段７５３、第１表示手段７７３は、各接続手段の接続状態を表示する。
【００９６】
第２表示手段７１５、第２表示手段７３５、第２表示手段７５５、第２表示手段７７５は、各接続手段の接続状態を表示する。
【００９７】
第３表示手段７１７、第３表示手段７３７、第３表示手段７５７、第３表示手段７７７は、各接続手段の接続状態を表示する。
【００９８】
第１ＤＣバイアス制御手段７１８、第１ＤＣバイアス制御手段７３８、第１ＤＣバイアス制御手段７５８、第１ＤＣバイアス制御手段７７８は、各接続手段の識別ＩＤを送受信するために、送信時に信号にＤＣバイアスを付加し、受信時に信号からＤＣバイアスを検出する。
【００９９】
第２ＤＣバイアス制御手段７１９、第２ＤＣバイアス制御手段７３９、第２ＤＣバイアス制御手段７５９、第２ＤＣバイアス制御手段７７９は、各接続手段の識別ＩＤを送受信するために、送信時に信号にＤＣバイアスを付加し、受信時に信号からＤＣバイアスを検出する。
【０１００】
第３ＤＣバイアス制御手段７２０、第３ＤＣバイアス制御手段７４０、第３ＤＣバイアス制御手段７６０、第３ＤＣバイアス制御手段７８０は、各接続手段の識別ＩＤを送受信するために、送信時に信号にＤＣバイアスを付加し、受信時に信号からＤＣバイアスを検出する。
【０１０１】
制御手段７２３、制御手段７４３、制御手段７６３、制御手段７８３は、送信時に各接続手段の識別ＩＤを付加するよう命令し、受信時に各接続手段から受信側の識別ＩＤを受信し、各記憶手段を参照し、各表示手段に正しい接続先を表示させる。
【０１０２】
記憶手段７２２、記憶手段７４２、記憶手段７６２、記憶手段７８２は、各接続手段の接続先を既定している。
【０１０３】
ＰＣＩｅスイッチ７２１、ＰＣＩｅスイッチ７４１、ＰＣＩｅスイッチ７６１、ＰＣＩｅスイッチ７８１は、差動信号を各接続手段へ送受信する。
【０１０４】
次に、各接続手段に与えられた識別ＩＤの送受信について、詳細な動作を説明する。
【０１０５】
図８は、本発明の第３の実施形態における接続手段の識別ＩＤの送受信時の動作例を示すブロック図である。
【０１０６】
ケーブル７００は、第３ケーブル接続送受信機７１１の第１接続手段７１２と、第４ケーブル接続送受信機７３１の第１接続手段７３２に正しく接続されている。
【０１０７】
図８に示すように、ケーブル７００は、第１レーン８０１、第２レーン８０２、第３レーン８０３、第４レーン８０４の４レーンを備えている。
【０１０８】
第１レーン８０１は、ケーブル７００の第１のレーンである。
【０１０９】
第２レーン８０２は、ケーブル７００の第２のレーンである。
【０１１０】
第３レーン８０３は、ケーブル７００の第３のレーンである。
【０１１１】
第４レーン８０４は、ケーブル７００の第４のレーンである。
【０１１２】
送信側の第３ケーブル接続送受信機７１１の第１接続手段７１２には、「０２００」の識別ＩＤが与えられている。
【０１１３】
受信側の第４ケーブル接続送受信機７３１の第１接続手段７３２には、「０３００」の識別ＩＤが与えられている。
【０１１４】
各接続手段にケーブルが接続されると、第３ケーブル接続送受信機７１１の制御手段７２３は、第１接続手段７１２の識別ＩＤ「０２００」を伝達するため、第１ＤＣバイアス制御手段７１８を用いて、第１レーン８０１に「０」（識別ＩＤの左から一番目）を示すＤＣバイアスの０Ｖ（ボルト）を付加して送信する。
【０１１５】
同様に、制御手段７２３は、第２レーン８０２に「２」を示すＤＣバイアスの３．３Ｖ、第３レーン３０３に「０」を示すＤＣバイアスの０Ｖ、第４レーン３０４に「０」を示すＤＣバイアスの０Ｖを付加して送信する。
【０１１６】
本実施例は、「０」を示すＤＣバイアスを０Ｖ、「２」を示すＤＣバイアスを３．３Ｖとしたが、識別ＩＤを示すＤＣバイアスは０Ｖ、３．３Ｖに限らない。
【０１１７】
第４ケーブル接続送受信機７３１の第１接続手段７３２は、４レーンのＤＣバイアスを受信する。
【０１１８】
第４ケーブル接続送受信機７３１の制御手段７４３は、第１ＤＣバイアス制御手段７３８を用いて、送信側の接続手段の識別ＩＤ「０２００」を認識する。
【０１１９】
制御手段７４３は、送信側の接続手段の識別ＩＤ「０２００」と受信側の接続手段の識別ＩＤ「０３００」とを比較し、記憶手段７４２を参照することでケーブルの両端の接続が正しい接続であることを認識する。
【０１２０】
制御手段７４３は、第１接続手段７３２に付属する第１表示手段７３３を点灯または、点滅させて、第１接続手段７３２が正しい接続先であることをユーザに伝える。
【０１２１】
接続先の装置は正しいが接続先が誤っていた場合、制御手段７４３は、誤った接続手段に付属する表示手段を点灯または、点滅させて、第４ケーブル接続送受信機７３１の接続手段が誤った接続先であることをユーザに伝える。記憶手段７４２を参照して、送信側の第１接続手段７１２の正しい接続先を認識し、受信側の正しい接続手段に付属する表示手段を誤った表示手段と異なる点灯または、点滅させて、正しい接続先をユーザに伝える。
【０１２２】
接続先の装置が誤っていた場合、制御手段７４３は、第１、第２、第３接続手段に付属する表示手段を利用して、予め各装置に対応する発光パターンを設定しておき、点灯または、点滅させて、正しい接続先の装置をユーザに伝える。
【０１２３】
あるいは、予め各装置に接続先の表示盤を設けておけば、送信された識別ＩＤを基に正しい接続先の装置を表示することが出来る。
【０１２４】
あるいは、双方向通信が可能な差動信号は、識別ＩＤを、第４ケーブル接続送受信機７３１、第５ケーブル接続送受信機７５１、第６ケーブル接続送受信機７７１から送ることができる。第３ケーブル接続送受信機７１１は、識別ＩＤを受信し、自身の識別ＩＤと比較した結果、ケーブルが誤った接続と判断した場合、正しい接続手段に付属する表示手段を点灯または、点滅させて、正しい接続先をユーザに伝えてもよい。双方向通信を利用すると、前述の接続先の表示盤を必要としない。
【０１２５】
次に、各接続手段に与えられた識別ＩＤの設定例を説明する。
【０１２６】
図９は、本発明の第３の実施形態における各接続手段の識別ＩＤの設定例を示すブロック図である。
【０１２７】
図９に示すように、第３ケーブル接続送受信機７１１の第１接続手段７１２、第２接続手段７１４、第３接続手段７１６には、それぞれ「０２００」、「０２０１」、「０２０２」の識別ＩＤが与えられている。
【０１２８】
第４ケーブル接続送受信機７３１の第１接続手段７３２、第２接続手段７３４、第３接続手段７３６には、それぞれ「０３００」、「０３０１」、「０３０２」の識別ＩＤが与えられている。
【０１２９】
第５ケーブル接続送受信機７５１の第１接続手段７５２、第２接続手段７５４、第３接続手段７５６には、それぞれ「０４００」、「０４０１」、「０４０２」の識別ＩＤが与えられている。
【０１３０】
第６ケーブル接続送受信機７７１の第１接続手段７７２、第２接続手段７７４、第３接続手段７７６には、それぞれ「０５００」、「０５０１」、「０５０２」の識別ＩＤが与えられている。
【０１３１】
次に、各接続手段の接続先の設定例を説明する。
【０１３２】
図１０は、本発明の第３の実施形態の記憶手段に保管される各接続手段の接続先の設定例である。
【０１３３】
図１０に示すように、第３ケーブル接続送受信機の第１接続手段（識別ＩＤ：０２００）の接続先は、第４ケーブル接続送受信機の第１接続手段（識別ＩＤ：０３００）に設定されている。
【０１３４】
第３ケーブル接続送受信機の第２接続手段（識別ＩＤ：０２０１）の接続先は、第５ケーブル接続送受信機の第２接続手段（識別ＩＤ：０４０１）に設定されている。
【０１３５】
第３ケーブル接続送受信機の第３接続手段（識別ＩＤ：０２０２）の接続先は、第６ケーブル接続送受信機の第３接続手段（識別ＩＤ：０５０２）に設定されている。
【０１３６】
制御手段は、記憶手段を参照することで、ケーブル接続が設定された接続か否かを認識できる。
【０１３７】
以上説明したように、本発明のケーブル接続送受信機、送信機、受信機、ケーブル接続支援方法およびケーブル接続支援プログラムは、差動信号とＤＣバイアスを利用し、接続されるケーブル自身により、差動信号の送受信とＤＣバイアスの識別ＩＤを通知することができるので、別系統のケーブルを予め設けることなく、ケーブル誤接続を検出することができ、正しい接続先の装置を知ることができる。
【０１３８】
尚、本願発明は、上述の実施形態に限定されるものではなく、本願発明の要旨を逸脱しない範囲で種々変更、変形して実施することが出来る。
【符号の説明】
【０１３９】
１００    ケーブル接続送受信機
１０１    接続手段
１０２    ＤＣバイアス制御手段
２００、７００、７０１、７０２    ケーブル
２１１    第１ケーブル接続送受信機
２１２、２３２、７１２、７３２、７５２、７７２        第１接続手段
２１４、２３４、７１４、７３４、７５４、７７４        第２接続手段
２１６、２３６、７１６、７３６、７５６、７７６        第３接続手段
２１３、２３３、７１３、７３３、７５３、７７３        第１表示手段
２１５、２３５、７１５、７３５、７５５、７７５        第２表示手段
２１７、２３７、７１７、７３７、７５７、７７７        第３表示手段
２１８、２３８、７１８、７３８、７５８、７７８        第１ＤＣバイアス制御手段
２１９、２３９、７１９、７３９、７５９、７７９        第２ＤＣバイアス制御手段
２２０、２４０、７２０、７４０、７６０、７８０        第３ＤＣバイアス制御手段
２２１、２４１、７２１、７４１、７６１、７８１        ＰＣＩｅスイッチ
２２２、２４２、７２２、７４２、７６２、７８２        記憶手段
２２３、２４３、７２３、７４３、７６３、７８３        制御手段
２３１    第２ケーブル接続送受信機
３０１、８０１      第１レーン
３０２、８０２      第２レーン
３０３、８０３      第３レーン
３０４、８０４      第４レーン
７１１    第３ケーブル接続送受信機
７３１    第４ケーブル接続送受信機
７５１    第５ケーブル接続送受信機
７７１    第６ケーブル接続送受信機
【図１】
2015065598.tif 000003
【図２】
2015065598.tif 000004
【図３】
2015065598.tif 000005
【図４】
2015065598.tif 000006
【図５】
2015065598.tif 000007
【図６】
2015065598.tif 000008
【図７】
2015065598.tif 000009
【図８】
2015065598.tif 000010
【図９】
2015065598.tif 000011
【図１０】
2015065598.tif 000012